(57)【要約】【課題】  室内用のお墓は以前にもあったが、通常使われる直径約２１センチメートルの７寸と呼ばれる骨壺が入るものは無かった。  ７寸の骨壺が収納可能にすると、お墓が大きくなり過ぎて、重くなり、室内用としては設置や組み立てが大変であった。【解決手段】  本発明は上段墓石体、中段墓石体、下段墓石体と称する３つの墓石体からなる室内用のお墓である。  本発明は、お墓が段ごとに３つに分かれて、内部に円柱状の骨壺収納庫を設ける事により、通常使われる７寸と呼ばれる直径約２１センチメートルの骨壺の収納が可能で、女性や年配者でも設置及び組み立てが可能な、コンパクトで軽量かつ室内設置を特徴とする、３段式室内墓を提供する。【選択図】図１
2019100172.tif 000002
【特許請求の範囲】
【請求項１】
本発明は３つの墓石体が上下３段に組み合わされた墓石であって、上段の墓石は上段墓石体と称し、中段の墓石は中段墓石体と称し下段の墓石下段墓石体と称し、上段墓石体の上面から下方へ約５センチメートルの位置から直径約２５センチメートルの円柱状の空洞が、中段墓石体を貫通して、下段墓石体の下端から上方へ約３センチセンチメートルの位置まで連続的空間を形成しており、この連続的空間を骨壺収納庫と称し、骨壺収納庫は上段墓石体と中段墓石体と下段墓石体の３つにまたがるのであるが、骨壺収納庫の上段墓石体に属する部分と、中段墓石体に属する部分と、下段墓石体に属する部分は各々、上段墓石体空洞部、中段墓石体空洞部、下段墓石体空洞部と称し、上段墓石体の下端の円周縁には幅約１センチメートル、高さ約１センチメートルの凸部が下方向に出ており、上段墓石体勘合凸部と称し、上段墓石体勘合凸部に当接する中段墓石体の上端においては、中段墓石体の下端の円縁域が同じ厚み幅、同じ高さで凹んでおり、重ね合わせ部を形成しており、同じく中段墓石体の下端の円周縁には幅約１センチメートル、高さ約１センチメートルの勘合凸部があり、中段墓石体勘合凸部と称し、中段墓石体勘合凸部に当接する下段墓石体の上端においては、下段墓石体の上端の円縁域が同じ厚み幅、同じ高さで凹んでおり、重ね合わせ部を形成していることを特徴とする、３段式室内墓。
【発明の詳細な説明】
【技術分野】
【０００１】  本発明は、室内用のお墓に関するものである。
【背景技術】
【０００２】  通常使われる７寸と呼ばれる直径約２１センチメートルの骨壺の収納が可能で、女性や年配者でも設置及び組み立てが可能な、コンパクトで軽量かつ室内設置を特徴とするお墓は無かった。
【発明の概要】
【発明が解決しようとする課題】
【０００４】  通常使われる７寸と呼ばれる直径約２１センチメートルの骨壺の収納が可能で、女性や年配者でも設置及び組み立てが可能な、コンパクトで軽量かつ室内設置を特徴とするお墓を提供する事。
【課題を解決するための手段】
【０００５】  本発明は３つの墓石体が上下３段に組み合わされた墓石である。
上段の墓石は、幅約３０センチメートル、奥行約３０センチメートル、高さ約３５センチメートルで、上段墓石体と称する。
中段の墓石は幅約４０センチメートル、奥行約３６センチメートル、高さ約６センチメートルで、中段墓石体と称する。
下段の墓石は幅約５０センチメートル、奥行約４０センチメートル、高さ約５センチメートルで、下段墓石体と称する。
上段墓石体の上面から下方へ約５センチメートルの位置から直径約２５センチメートルの円柱状の空洞が、中段墓石体を貫通して、下段墓石体の下端から上方へ約３センチメートルの位置まで連続的空間を形成しており、この連続的空間を骨壺収納庫と称する。
骨壺収納庫は、上段墓石体と中段墓石体と下段墓石体の３つにまたがるのであるが、骨壺収納庫の上段墓石体に属する部分と、中段墓石体に属する部分と、下段墓石体石に属する部分は各々、上段墓石体空洞部、中段墓石体空洞部、下段墓石体空洞部と称する。
上段墓石体の下端の円周縁には幅約１センチメートル、高さ約１センチメートルの凸部が下方向に出ており、上段墓石体勘合凸部と称する。
上段墓石体勘合凸部に当接する中段墓石体の上端においては、中段墓石体の下端の円縁域が同じ厚み幅、同じ高さで凹んでおり、重ね合わせ部を形成している。
中段墓石体の下端の円周縁には幅約１センチメートル、高さ約１センチメートルの凸部が下方向に出ており、中段墓石体勘合凸部と称する。
中段墓石体勘合凸部に当接する下段墓石体の上端においては、下段墓石体の上端の円縁域が同じ厚み幅、同じ高さで凹んでおり、重ね合わせ部を形成している。
本発明は、以上を特徴とする、３段式室内墓である。
【発明の効果】
【０００６】  本発明により、通常使われる７寸と呼ばれる直径約２１センチメートルの骨壺の収納が可能で、女性や年配者でも設置及び組み立てが可能な、コンパクトで軽量かつ室内設置を特徴とするお墓を提供する事が可能となった。
【発明を実施するための形態】
【０００７】    以下、本発明を図の具体例を用いて説明する。
本発明は図１に示すように、上段墓石体（１０）と中段墓石体（２０）と下段墓石体（３０）と称する３つの墓石体が上下３段に組み合わされた墓石である。
上段墓石体は幅約３０センチメートル、奥行約３０センチメートル、高さ約３５センチメートルである。
中段墓石体（１０）は幅約４０センチメートル、奥行約３６センチメートル、高さ約６センチメートルである。
下段墓石体は幅約５０センチメートル、奥行約４０センチメートル、高さ約５センチメートルである。
図２に示すように、上段墓石体の上面から下方へ約５センチメートルの位置から直径約２５センチメートルの円柱状の空洞が、中段墓石体を貫通して、下段墓石体の下端から上方へ約３センチセンチメートルの位置まで連続的空間を形成しており、この連続的空間を骨壺収納庫（１５）と称する。
骨壺収納庫は上段墓石体と中段墓石体と下段墓石体の３つにまたがるのであるが、骨壺収納庫の上段墓石体に属する部分と、中段墓石体に属する部分と、下段墓石体に属する部分は各々、上段墓石体空洞部（１４）、中段墓石体空洞部（２４）、下段墓石体空洞部（３２）、と称する。
図４に示すように、上段墓石体の下端の円周縁には幅約１センチメートル、高さ約１センチメートルの凸部が下方向に出ており、上段墓石体勘合凸部（１３）と称する。
図２に示すように、上段墓石体勘合凸部に当接する中段墓石体の上端においては、中段墓石体の下端の円縁域が同じ厚み幅、同じ高さで凹んでおり、重ね合わせ部を形成している。
図７に示すように、中段墓石体の下端の円周縁には幅約１センチメートル、高さ約１センチメートルの凸部が下方向に出ており、中段墓石体勘合凸部（２３）と称する。
図２に示すように、中段墓石体勘合凸部に当接する下段墓石体の上端においては、下段墓石体の上端の円縁域が同じ厚み幅、同じ高さで凹んでおり、重ね合わせ部を形成している。
本発明は、以上を特徴とする、３段式室内墓である。
【図面の簡単な説明】
【０００８】
【図１】  本発明の斜視図
【図２】  本発明の中央縦断面図
【図３】  本発明の一部分である上段墓石体の斜視図
【図４】  本発明の一部分である上段墓石体を逆さにして見せた斜視図
【図５】  本発明の一部分である上段墓石体の中央縦断面図
【図６】  本発明の一部分である中段墓石体の斜視図
【図７】  本発明の一部分である中段墓石体を逆さにして見せた斜視図
【図８】  本発明の一部分である中段墓石体の中央縦断面図
【図９】  本発明の一部分である下段墓石体の斜視図
【図１０】  本発明の一部分である下段墓石体の中央縦断面図
【符号の説明】
【０００９】（１０）上段墓石体          （１１）上段墓石体上面    （１２）上段墓石体下面
（１３）上段墓石体勘合凸部  （１４）上段墓石体空洞部  （１５）骨壺収納庫
（２０）中段墓石体          （２１）中段墓石体上面    （２２）中段墓石体下面
（２３）中段墓石体勘合凸部  （２４）中段墓石体空洞部
（３０）下段墓石体          （３１）下段墓石体上面    （３２）下段墓石体空洞部
【図１】
2019100172.tif 000003
【図２】
2019100172.tif 000004
【図３】
2019100172.tif 000005
【図４】
2019100172.tif 000006
【図５】
2019100172.tif 000007
【図６】
2019100172.tif 000008
【図７】
2019100172.tif 000009
【図８】
2019100172.tif 000010
【図９】
2019100172.tif 000011
【図１０】
2019100172.tif 000012
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
本発明は３つの墓石体が上下３段に組み合わされた墓石であって、上段の墓石は上段墓石体と称し、中段の墓石は中段墓石体と称し下段の墓石下段墓石体と称し、上段墓石体の上面から下方へ約５センチメートルの位置から直径約２５センチメートルの円柱状の空洞が、中段墓石体を貫通して、下段墓石体の下端から上方へ約３センチセンチメートルの位置まで連続的空間を形成しており、この連続的空間を骨壺収納庫と称し、骨壺収納庫は上段墓石体と中段墓石体と下段墓石体の３つにまたがるのであるが、骨壺収納庫の上段墓石体に属する部分と、中段墓石体に属する部分と、下段墓石体に属する部分は各々、上段墓石体空洞部、中段墓石体空洞部、下段墓石体空洞部と称し、上段墓石体の下端の円周縁には幅約１センチメートル、高さ約１センチメートルの凸部が下方向に出ており、上段墓石体勘合凸部と称し、上段墓石体勘合凸部に当接する中段墓石体の上端においては、中段墓石体の上端の円縁域が同じ厚み幅、同じ高さで凹んでおり、重ね合わせ部を形成しており、同じく中段墓石体の下端の円周縁には幅約１センチメートル、高さ約１センチメートルの勘合凸部があり、中段墓石体勘合凸部と称し、中段墓石体勘合凸部に当接する下段墓石体の上端においては、下段墓石体の上端の円縁域が同じ厚み幅、同じ高さで凹んでおり、重ね合わせ部を形成していることを特徴とする、３段式室内墓
【手続補正２】
【補正対象書類名】明細書
【補正対象項目名】０００５
【補正方法】変更
【補正の内容】
【０００５】  本発明は３つの墓石体が上下３段に組み合わされた墓石である。
上段の墓石は、幅約３０センチメートル、奥行約３０センチメートル、高さ約３５センチメートルで、上段墓石体と称する。
中段の墓石は幅約４０センチメートル、奥行約３６センチメートル、高さ約６センチメートルで、中段墓石体と称する。
下段の墓石は幅約５０センチメートル、奥行約４０センチメートル、高さ約５センチメートルで、下段墓石体と称する。
上段墓石体の上面から下方へ約５センチメートルの位置から直径約２５センチメートルの円柱状の空洞が、中段墓石体を貫通して、下段墓石体の下端から上方へ約３センチメートルの位置まで連続的空間を形成しており、この連続的空間を骨壺収納庫と称する。
骨壺収納庫は、上段墓石体と中段墓石体と下段墓石体の３つにまたがるのであるが、
骨壺収納庫の上段墓石体に属する部分と、中段墓石体に属する部分と、下段墓石体石に属する部分は各々、上段墓石体空洞部、中段墓石体空洞部、下段墓石体空洞部と称する。
上段墓石体の下端の円周縁には幅約１センチメートル、高さ約１センチメートルの凸部が下方向に出ており、上段墓石体勘合凸部と称する。
上段墓石体勘合凸部に当接する中段墓石体の上端においては、中段墓石体の上端の円縁域が同じ厚み幅、同じ高さで凹んでおり、重ね合わせ部を形成している。
中段墓石体の下端の円周縁には幅約１センチメートル、高さ約１センチメートルの凸部が下方向に出ており、中段墓石体勘合凸部と称する。
中段墓石体勘合凸部に当接する下段墓石体の上端においては、下段墓石体の上端の円縁域が同じ厚み幅、同じ高さで凹んでおり、重ね合わせ部を形成している。
本発明は、以上を特徴とする、３段式室内墓である。
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
本発明は３つの墓石体が上下３段に組み合わされた墓石であって、上段の墓石は上段墓石体と称し、中段の墓石は中段墓石体と称し下段の墓石下段墓石体と称し、上段墓石体の上面から深さ約５センチメートルの位置から直径約２５センチメートルの円柱状の空洞が、中段墓石体を貫通して、下段墓石体の下端から約３センチセンチメートルの位置まで連続的空間を形成しており、この連続的空間を骨壺収納庫と称し、骨壺収納庫は上段墓石体と中段墓石体と下段墓石体の３つにまたがるのであるが、骨壺収納庫の上段墓石体に属する部分と、中段墓石体に属する部分と、下段墓石体に属する部分は各々、上段墓石体空洞部、中段墓石体空洞部、下段墓石体空洞部と称し、本発明は、お墓が段ごとに３つに分かれており、内部に円柱状の骨壺収納庫を設ける事により、通常使われる７寸と呼ばれる直径約２１センチメートルの骨壺の収納が可能で、女性や年配者でも設置及び組み立てが可能な、コンパクトで軽量かつ室内設置を特徴とする、3段式室内墓。